(57)【要約】【課題】僅かな動力消費により流出するガス量の正確な配分を可能とし、より長い耐用年数でも可能とするとにかく酸素フランツ用の迅速閉鎖弁を創作すること。【解決手段】分配負荷軽減を備える迅速閉鎖弁は、特に酸素フランツに使用されて、本来の密封体１０が弁管２の内部に二部材に形成されていて、そのハウジング部材１６と１７により弁ばね８を受けている。ガスは密封体１０の周りに案内されるので、ガス圧が手動レバー３を介して操作を奏し得ない。適切に前方ハウジング部材１６の後部に位置する後方ハウジング部材１７が流れに有効に形成された前方ハウジング部材１６の内部に弁ばね８の力に逆らって移動でき、しかも手動レバー３によって移動できるので、この手動レバーがガス圧により無関係に正確に分配して操作され得る。【選択図】図２
2011169461.tif 000002
【特許請求の範囲】
【請求項１】
酸素フランツや複数バール上昇ガスを案内する他の容易な点火可能な管用の分配負荷軽減を備えて、弁（１）を通過するガス量が手で制御でき、そのために、貫流通路（７）内に弁ばね（８）の力に逆らって軸方向移動可能で弁ばね（８）によって密封座（１１）に保持された密封体（１０）が配置されていて、密封体がガス供給（９）と反対を向いた側面（１２）に突き出す接合部（１５）を介して弁管（２）に旋回可能に取付けられた手動レバー（３）の圧力部材（４）により密封体（１０）を貫流通路（７）内に連行して移動できる迅速閉鎖弁において、密封体（１０）が二部材で弁ばね（８）を収容して中空に形成されていて、ガス供給（９）に向いたハウジング部材（１６）が貫流通路（７）内に固定され、後方ハウジング部材（１７）が密封座（１１）を開放して前方ハウジング部材（１６）に弁ばね（８）の力に逆らって移動でき、逆に弁ばね（８）によって密封座（１１）に保持されていることを特徴とする迅速閉鎖弁。
【請求項２】
前方ハウジング部材（１６）がガス供給（９）の内に到達する円錐先端（１８）を備えて一つの孔輪を介して貫流通路（７）の壁（１９）と接続されるか、或いは壁に固定されていることを特徴とする請求項１に記載の迅速閉鎖弁。
【請求項３】
ガス供給（９）から見て特に２０個の孔（２２、２３）を備える孔輪（２０）には２５ｍｍ通路直径で環状通路（２１）が形成されていることを特徴とする請求項２に記載の迅速閉鎖弁。
【請求項４】
円錐先端（１８）が前方ハウジング部材（１６）の丸くなった屋根（２５）に移行してガス流をほぼ積層状に案内して形成されていることを特徴とする請求項２に記載の迅速閉鎖弁。
【請求項５】
前方ハウジング部材（１６）内で移動可能に開放する後方ハウジング部材（１７）のハウジングスリーブ（２６）が円筒状に且つ二つの密封リング（２７、２８）を外面（２９）に有して形成されていて、前方ハウジング部材（１６）が対応する内孔（３０）を有することを特徴とする請求項１乃至４のいずれか一項に記載の迅速閉鎖弁。
【請求項６】
ハウジングスリーブ（２６）が軸方向孔（３２）を有し、この軸方向孔が後方ハウジング部材（１７）のパッキング斜面（３４）の側で終了する半径方向孔（３３）に移行してそれに伴って貫流通路（７）或いは周辺通路（３８）に対する流れ結合部（３５）を設定して形成されていることを特徴とする請求項５に記載の迅速閉鎖弁。
【請求項７】
接合部（１５）が後部、即ち後方のハウジング部材（１７）のパッキング斜面（３４）を備えて対応するねじ（３９、４０）を有し、その際に密封座（１１）と対応するパッキング斜面（３４）がパッキングリング（４１）とハウジングスリーブ（２６）に固定して接続できることを特徴とする請求項１乃至６のいずれか一項に記載の迅速閉鎖弁。
【請求項８】
孔輪（２０）の孔（２２、２３）により形成された周辺通路（３８）が密封座（１１）の後に装着する傾斜孔（４３、４４）に傾斜孔空間（４５）を備えて、そこから手動グッリプ収容部（４７）の傍を通って案内する孔通路（４８）に移行して形成されていることを特徴とする請求項１乃至７のいずれか一項に記載の迅速閉鎖弁。
【請求項９】
密封座（１１）と傾斜孔（４３、４４）が接合部（１５）を案内する挿入部材（４６）に付属されていて、接合部（１５）には傾斜孔空間（４５）を密封する密封部材（５０）がリングウエブ（５１）を備えて配置されていることを特徴とする請求項１乃至８のいずれか一項に記載の迅速閉鎖弁。
【請求項１０】
手動レバー（３）が手動グッリプ収容部（４７）の縁側に配置された軸（５４）を中心に旋回でき、上に突き出す圧力部材（４）には圧力領域（５５）に配置された球（５６）を有することを特徴とする請求項１乃至９のいずれか一項に記載の迅速閉鎖弁。
【請求項１１】
球（５６）が圧力部材（４）にねじ込みできるねじ保持体（５７）に付属されていて、接合部（１５）の自由先端（５８）が傾斜されるか、或いは切断されるか、或いは風化されることを特徴とする請求項１０に記載の迅速閉鎖弁。
【請求項１２】
密封体（１０）が接合部（１５）を備えて、挿入部材（４６）が傾斜孔（４３、４４）を備えてホーススリーブ（６０）介して弁管（２）に固定できることを特徴とする請求項１乃至１１のいずれか一項に記載の迅速閉鎖弁。
【発明の詳細な説明】
【技術分野】
【０００１】
この発明は、弁を通過するガス量が手動により制御され、そのために、貫流路では弁ばねの力に逆らって移動でき、弁ばねによって密封座に保持された密封体が配置されていて、ガス供給に反対を向いた側面に突き出る突起によって弁管に旋回可能に取付けられた手動レバーの圧力部材から貫流路内の密封体を一緒に連れて移動でき、酸素フランツや他の僅かに可燃性で数バール上昇ガス案内管用の配分負荷軽減を備える迅速閉鎖弁に関する。
【背景技術】
【０００２】
この種の迅速閉鎖弁は、消費器の付近へのガス供給の際にはガス導管或いは媒体導管を開放するか、或いは閉鎖することを必要とされる。ガス導管は、鋼導管或いはホース導管が取り扱われるか否かと無関係に、導管が例えば１６バールのより高い圧力を満たすように、敷設されている。ドイツ実用新案第２０２００７００８３６９．６号明細書（特許文献１）による公知の回転弁では、確かにガス分配がある種の範囲で行われ、無論比較的高い費用を伴って行われる。それに対して、公知のレバー弁では、このデットマン回路は、簡単に、レバーが消費器による開放の際に自動的にばね圧力によって閉鎖位置に内方移動することによって達成され得る。これは、無論、とにかく閉鎖するように設けられた密封体に適用する。この密封体は外方に置かれた弁ばねにより負荷され、全部材として全面により上昇ガス圧と弁ばねの圧力に逆らって密封座から外方移動されるにちがいない。これは手動レバーによって自然に可能であるが、しかし、適切な動力消費によってのみで、欠点的に、通過するガス量のほぼ正確な配分が不可能である問題を伴って行われる。さらに、ガスの汚れの際或いは灼熱灰或いは鋼の逆流の際に外方に密封体に着座するばねは、弁がもはや閉鎖せずに、むしろ、問題である酸素を通過するように、損傷するので、操作端の危険が弁と接続されていることが欠点である。
【先行技術文献】
【特許文献】
【０００３】
【特許文献１】ドイツ実用新案第２０２００７００８３６９．６号明細書
【発明の概要】
【発明が解決しようとする課題】
【０００４】
この発明の課題は、僅かな動力消費により流出するガス量の正確な配分を可能とし、より長い耐用年数でも可能とするとにかく酸素フランツ用の迅速閉鎖弁を創作することである。  
【課題を解決するための手段】
【０００５】
この課題は、この発明によると、密封体が二部材で、弁ばねが収容するよう中空に形成され、ガス供給に向いたハウジング部材が貫流路内に固定され、後方ハウジング部材が密封座を前方ハウジング部材内に開放して弁ばねの力に逆らって移動でき、逆に弁ばねによって密封座に保持されている。
【発明の効果】
【０００６】
このように形成された迅速閉鎖弁の際に、弁ばねは、危険な場合に、弁が閉鎖されるので、弁ばねが危険のない重要な課題を感知できるように、保護されて収納されることを考慮されていた。さらに、弁ばねがもはやガス流内に存在せずに、その流れが減少できないことが好ましい。密封体と貫流路の手際良い構成によってほぼ酸素のために重要な積層状流れが達成できる。後方ハウジング部材が前後方ハウジング部材間の圧力差無しに前後に移動され、それにより密封座を自由とされるか、或いは密封座に内方押圧されるので、パッキングのために重要な密封体領域が上流するガスの圧力により影響されずに前後移動される。僅かなガス供給によってガス災の点火が酸素フランツの端部において簡単且つ確実に可能であり、他の圧力が連続的に上昇でき、それぞれの使用のために、正確に正しい高さに上昇できる。この密封体或いはこの密封体のパッキングのために重要な部材の手際良い配列によって、そのような迅速閉鎖弁が問題なく例えば婦人によっても操作でき、それは稼働中に自由分配のほかに他の利点として重要である。圧力が中空弁ばね空間内に生じる空気圧に影響されなけばならないとしても、操作者の手により伝達された圧力がすべての圧力段の下で実際にいつも同じままである。ここでは、更に以下に説明されるが、追加的援助が存在するので、記載された簡単な接近性と正確な配分を決定的利点として強調すべきである。
【０００７】
この発明の目的に適った実施態様によると、前方ハウジング部材がガス供給に内部へ到達する円錐先端により孔輪を介して貫流路の壁と接続されるか、或いはその壁に固定される。それにより、後方ハウジング部材を前方ハウジング部材に中へ移動させ、その際にばねを緊張させるか、或いは逆であることを可能である。孔輪を通して逆軸受として用いられる前方ハウジング部材の簡単且つ正確な固定を可能として、孔輪は、貫流路を通して上流するガスがほぼ積層状に本来の密封体の傍を通って案内でき、この密封体をガスの圧力により保持するか、或いは少なくとも広範囲に保持する。円錐先端は貫流路から外方案内されたガス流を均一に分割し、ガス流を孔輪を通して、つまり、孔輪の個々の孔を通して案内されるので、それにより積層状案内が好都合に作用される。
【０００８】
逆流する液状鋼の問題では、発明により企図されているようにガス供給から見て特に２５ｍｍの通路直径の際の２０個の孔を備える孔輪に環状通路が形成されるときに、迅速閉鎖弁の内部に好ましく補充されている。この環状通路では、液状鋼が集合し、孔輪の多くの比較的小さい孔を通って安定化されないか、或いは安定化できるので、危険がそれにより著しく減少されるか、或いは完全に回避される。
【０００９】
ガス流の積層状構成は、さらに円錐先端が前方ハウジング部材の丸くなった屋根に移行し、ガス流にほぼ積層状に案内して形成されていることによって好都合に働く。これは、特に、円錐先端が比較的小さくこの丸くなった前方ハウジング部材に着座するときに、達成されるので、ガス流が更に前に既に述べたように、非常に均一に分割され、連続孔を通して孔輪に通過案内され得る。この場合には、前方ハウジング部材には、弁ばねが一緒に配置されていて、端部に存在する半径方向孔の一致する端部で支持され、後方ハウジング部材の端部で支持される。既にテキストに示すように、この弁ばねが全体としてとじ込まれ、ガス流から保護される。
【００１０】
既に述べたように、両ハウジング部材が互いの中へ移動可能に配置形成されて、それにより弁ばねに負荷を掛けるか、或いは負荷を軽減する。この場合には、後方ハウジング部材の前方ハウジング部材に移動可能な開放ハウジングスリーブが円筒状に、外面に二つの密封リングを有して形成されるか、或いは配置されるときに、好ましく、前方ハウジング部材が対応する内孔を有する。これは、後部或いは後方ハウジング部材のハウジングスリーブが前方ハウジング部材の適切な内孔内に移動できることを意味し、両密封リングは、弁ばねを受ける内部空間或いは中空空間が上昇するガス圧力に対して密封されることを考慮する。この場合には、密封リングの選択と配列の選択とによって、必然的に克服すべき摩擦が内孔の内壁において比較的僅かであるので、それにより密封体の後方ハウジング部材の前後移動の際に本質的に高い動力費用が必要でないことが確保される。
【００１１】
既に述べたように、前記中空空間内の空気クッションの発生が回避されて、そのために、ハウジングスリーブが軸方向孔を有し、軸方向孔が後部ハウジング部材のパッキング斜面で終わっている半径方向孔に移行して、貫流路或いは周辺通路に対する流れ結合部を与えて形成されている。それにより両ハウジング部材の協働移動の際に追加的圧力が生じなく、手動レバーによって弁ばねの正確に予め選定された力のみを克服すべきであった。弁の閉鎖の際にも、弁ばねが決定して、場合によっては中空空間に生じた空気過圧ではない。両ハウジング部材の移動の際に生じる中空空間内の空気圧が、記載されたように、軸方向孔と半径方向孔を通して分割されて、この空気が酸素ガスと引き続いて混合し、完全に無害で連行され、同時に中空空間内の空気クッションの形成用のそのようなガス混合気のみが規準である。
【００１２】
この種の迅速閉鎖弁の組立ては、後部或いは後方ハウジング部材のパッキング斜面を備える接合部が対応するねじを所持し、密封座と対応するパッキング斜面がハウジングスリーブに付着してパッキングリングと接続できることによって好都合に働く。接合部が後方ハウジング部材で内方回転され、この場合には、パッキング斜面を備える部材を連行して、この部材とパッキングリングを後方ハウジング部材の残り部材に対して固定するので、パッキングリングがその位置を有し、当然にパッキング斜面をも有する。
【００１３】
パッキングリングを備えるパッキング斜面が密封座と一緒に、手動レバーによる無影響の際に弁のいつもより密な座が保証されることを考慮する。開放の際に且つ手動レバーの僅かな運動の際にガスが酸素のすべてのもの対して適切な量に迅速閉鎖弁を通して流れて、これが広範囲に積層状に可能である、というのは、孔輪の孔により形成された周辺通路が密封座に付着する後部傾斜孔に移行するので、ガスがそこからハンドグリップ収容部の傍を通って案内する孔通路に移行して流れ去れ得るからである。迅速閉鎖弁の造形によって孔輪がその孔によりおよそガス通過を可能として、ガス通過が貫流路に一致し、連続傾斜孔と孔通路がそのような横断面を利用し、酸素フランツが最初一回で点火されるときに、適切な量のガスを連れ去られ得る。従来の１４５Ｎｍ3 ／ｈの代わりに、今は６バールで約２７０Ｎｍ3 ／ｈがそのような迅速閉鎖弁を通して貫流案内され、高量のガス或いは酸素による最も少ない危険が生じることはない。まさに酸素では、渦巻きの発生の際に常に点火或いは他の問題が生じ、それが酸素の積層状ガイドを通して迅速閉鎖弁によって排出される危険が生じた。
【００１４】
ガスの前記ガイドは、傾斜孔と傾斜孔空間の手際良い配列によって好都合に作用されて、それは、密封座と傾斜孔が接合部を案内する挿入部材に付属されていて、そして接合部には傾斜孔空間を密封する密封部材がリングウエブを備えて配置されていることによって達成される。接合部には移動可能に配置されていて密に当接する密封部材とリングウエブによってこの全範囲がガス密に形成されるので、ガス、特に酸素が誤ってハンドグリップ収容部の領域に流れ去れ得る。むしろ、ガス或いは酸素が所定通路を利用するように強制される。リングウエブを備えるこの密封部材が、特殊ゴムのような適切な柔軟材料から成り、挿入部材で適切な環状収容部に配置されているので、密封部材自体が迅速閉鎖弁のねじで締め合せる際に過度の負担をかけずに、むしろ、いつも密封して配置されたままである。    
【００１５】
接近し易い迅速閉鎖弁は、さらに、手動レバーがハンドグリップ収容部の縁側に配置された軸を中心に旋回でき、突き出る圧力部材には圧力領域に配置された球を有することによって最適化される。それにより手動レバーが延長された圧力部材を有し、的確に接合部に作用し、弁が開放するか、或いは閉鎖させる。球は、手動レバーの圧力部材と接合部の互いの並んで傍を通る運動によって大き過ぎる摩擦が生じないことを考慮する。この場合に、球が圧力部材に位置決めされて、摩擦力が生じ得ないことを考慮する。
【００１６】
球の正確な位置決めは、この発明の構成によると、球が圧力部材にねじ締めできるねじ保持体に付属されていて、接合部の自由先端が勾配を付けられるか、或いは切断されるか、或いは窪みを付けられることによって達成される。球とそれに伴って圧力部材とが回避せずに、互いに並んで傍を通ってずれて、むしろ、球はいつも、手動レバーの力が均一且つ確実に接合部とそれに伴う全弁に伝達されることを考慮する。
【００１７】
少し行ったところに、既に、全迅速閉鎖弁が比較的僅かな構成部材から成ることが明らかにされていて、接合部を備える密封体と傾斜孔を備える挿入部材がねじスリーブによって弁管に固定できるときに、これら構成部材が弁管の内部に簡単且つ目的に適って配置されている。ねじスリーブが同時に自由端に外部螺子を有するので、ホース導管の接続部或いは管が容易に到達され得る。
【００１８】
この発明は、特に、高い配分性を所持する迅速閉鎖弁が創作されて、この配分性が貫流するガス量の下範囲に流入することを特徴とする。それにより、この種の迅速閉鎖弁により手で例えば酸素フランツの点火の際に正確に点火過程に最適であるガス或いは酸素の量を供給する可能性が与えられる。さらに、迅速閉鎖弁は貫流するガス流が実際に積層状に保持され得るように構成されるので、迅速閉鎖弁が迅速閉鎖弁の内部に危険を実際にもたらさないことが好ましい。この場合には、ガスが密封体の傍を通って案内され、この密封体がほとんど影響されず、ガス圧によって前後に移動され得て、しかも手で手動レバーによって移動され得る。この場合に、手際良い方法は、弁ばねを二部材密封体の内部に収納しているので、弁ばねがガス圧並びに傍を通って流れるガスの危険に晒されることから保護される。弁ばねを収容する中空空間が連行するガス通路に接続されているので、ここでは過圧或いは同様な圧力が生じ得ない。しかし、結局は、良き取扱い性のために、二部材密封体が二つのハウジング部材を有することが特に重要であり、ガス供給から見て後方密封部材が他の密封部材に移動され、これが広範囲に上昇するガス圧から影響されない。この場合には、逆軸受として用いられる前方ハウジング部材が貫流通路に固定して配置されていて、しかも孔輪によって固定して配置されていて、その孔は、問題の場合の液状鋼の逆流の際にここでこの液状鋼が確認されて、それにより無害にされ、ハウジング全体が温度を誘導できる特殊な真鍮から成る。全体に見て迅速閉鎖弁の内部が前記種類と形式で酸素を満たすガス流を保証するように形成される。
【００１９】
発明対象の更なる詳細と利点は、好ましい実施例がそれに必要な詳細と個別部材を備えて図示されている付属図面の次の明細書から明らかにされる。
【図面の簡単な説明】
【００２０】
【図１】迅速閉鎖弁を斜視表示で示す。
【図２】この迅速閉鎖弁を通る縦断面を示す。
【図３】閉鎖機構とそれに必要な構成部材を備える弁管領域の拡大再現を示す。
【図４】この領域の斜視図を示し、傾斜孔と孔輪を良く見るべきである。
【発明を実施するための形態】
【００２１】
図１は、所謂弁１、つまり手動レバー３を備えている迅速閉鎖弁を示す。この手動レバー３は弁管２の外部に配置されていて、ここでは明確に認識できない圧力部材４を有し、この圧力部材によってここでは同様に認識できない本来の弁或いは密封体１０に作用される。弁管２上の手動レバー３は安全支え５によって閉鎖位置に保持されるので、危険な場合にはここで簡単なデットマン回路が実現されている。操作者が手動レバー３を開放するならば、この手動レバーがここで認識できない弁ばね８と接合部を介して弁閉鎖位置に戻されるので、他のガス、つまり、特に酸素がこの弁１を通過できない。
【００２２】
９によりガス供給が示され、１３により酸素フランツの方向へのガス流出が示されている。６２と６３により当接面が示されて、この当接面は弁１の組立ての際にスパナ或いは同様な補助装置の好ましい使用を可能とする。
【００２３】
図２はこの弁１を通る縦断面を示し、手動レバー３が安全支え５を介して弁１のここで再び与えられた閉鎖位置に保持されることが認識できる。手動レバーはこの位置を保つので、操作の必要の際にすぐに再び弁１が開放するように用いられ得る。
【００２４】
ガス供給は９により行われ、密封体１０の円錐先端１８によって本来の密封体１０の周りに案内される。貫流通路７が周辺通路３８に移送されるので、密封体１０の本来のハウジングが広範囲に滞留ガスの圧力により開放される。
【００２５】
手動レバー３が旋回点６を中心に旋回されるので、圧力部材４が密封体１０の接合部１５に作用でき、この接合部を的確に密封座１１から外方に移動する。この密封座１１は密封体１０の反対を向いた側面１２と協働し、閉鎖位置においてガスがこの領域を通過できないことを考慮する。この際に、密封体１０が描かれた弁ばね８によって密封位置、即ち閉鎖位置に押圧されてこの位置に保持される。手動レバー３と圧力部材４並びに接合部５を介して密封体１０が弁ばね８がばね力に逆らって密封座１１から外方に移動される。
【００２６】
特に図３から明確に認識すべきである図示された例では、密封体１０が二部材で形成されていて、前方ハウジング部材１６が孔輪２０を介して貫流通路７の壁１９に固定されている。後方ハウジング部材１７が固定式前方ハウジング部材１６内で移動自在に配置されていて、このために、ハウジングスリーブ２６が密封リング２７、２８を備えて円筒状に形成され、前方固定ハウジング部材１６の内孔３０に適合されている。密封リング２７、２８によって、ガスがこの領域に、特に中空空間に位置する弁ばね８に作用できないことが確認されている。密封リング２７、２８はハウジングスリーブ２６の外面２９に配置されている。このハウジングスリーブ２６は接合部１５とねじ３９、４０によって連結されていて、密封斜面３４が密封面４１によりハウジングスリーブ２６と密封座１１に対して押圧される。
【００２７】
接合部１５には、軸方向孔３２が配置されていて、端側半径方向孔３３と一緒に、弁ばね８を受ける中空空間３６が圧力降下するように流出通路或いは傾斜孔４３、４４に接続されている。
【００２８】
挿入部材内のこれら傾斜孔４３、４４が傾斜孔空間４５と一緒に、弁の開放の際にガスが貫流通路７、周辺通路３８と同様に傾斜孔４３、４４を介して流出でき、しかも孔通路４８に流出できることを考慮する。これら孔通路４８が手動レバー収容部４７の傍を通って案内され、ガスの広範囲な積層状流を可能とする。
【００２９】
固定前方ハウジング部材１６の特別構成を、既に取り上げていた。円錐先端１８は、流入するガス供給が均一に分割されて周辺通路３８の方向に流出できるように形成されていることが認識できる。周辺通路３８の一部が孔輪２０を形成する孔２２、２３を形成する。この孔輪の位置と構成が特に好都合に図４を採用でき、ここでハウジングスリーブ２６の外面２９上に二つの密封リングを採用すべきである。ガス流の更に良き案内のために、前方ハウジング部材１６の丸くなった屋根２５を挙げるべきことである。
【００３０】
孔２２、２３を備える孔輪が一つの環状通路２１へ移行し、そこから流入するガスが弁１の開放の際に密封座１１の傍を通って傾斜孔４３、４４の方向に流れ得る。
【００３１】
図３は、明確に、ハウジング或いは密封体１０に作用するガス圧力が僅かであると表明され、というのは、環状通路２１への接続ではガスが後方ハウジング部材１７の小さい突起４２にのみに作用するからであることを示す。
【００３２】
図２と図４は、圧力部材４を備える手動レバー３の作用態様を明らかにし、図２も図４も採用され得て、手動レバー３の圧力部材４は、軸５４或いは旋回点６が手動グッリプ収容部４７の縁部５３の付近に接近されることによって延長されている。圧力部材４の先端５２には、圧力領域５５内で球５６が配置されている。球がねじ保持体５７に案内され、圧力が接合部１５に出来るだけ均一に生じることを考慮する。ねじ保持体５７は、接合部１５の自由先端に対して間隔をあるフレーム内で調整することを可能とする。接合部１５の自由先端が切断されるか、或いは風化されるか、或いは普段のように形成され、接合部１５への球５６の均一な衝突と作用を保証する。
【００３３】
弁１の密封性を配慮する部分は弁管２の円筒状ポット状部分に収容されている。手動レバー３と圧力部材４に対する結合は、接合部１５によって行われ、この領域がリングウエブを備える密封部材５０によって密封されている。適切に、図２と３も、特に図４も採用すべきである。この際に接合部１５がこの円筒状ポットの底を貫通し、挿入部材４６が螺子孔４３、４４により並びに密封体１０が内方に位置する弁ばね８８により上から挿入され、接合部１５によって差し込まれる。固定すべき前方ハウジング部材１６の必要な閉鎖とそれに伴う固定がねじスリーブ６０によって行われ、ねじスリーブが他の自由端に外部ねじを有するので、ここで更なる管が接続され得るか、或いはホースが接続され得る。
【００３４】
図４では、孔２２、２３と環状通路２１備える孔輪２０並びに傾斜孔４３、４４と孔通路４８、４８’が良く認識できる。
【００３５】
図面のみに採用すべきあらゆる上記特徴事項は、単独に且つ組合せで発明の本質と見做される。
【符号の説明】
【００３６】
１．．．．．弁
２．．．．．弁管
３．．．．．手動レバー
４．．．．．圧力部材
５．．．．．安全支え
７．．．．．貫流通路
８．．．．．弁ばね
９．．．．．ガス供給
１０．．．．．密封体
１１．．．．．密封座
１５．．．．．接合部
１６．．．．．前方ハウジング部材
１７．．．．．後方ハウジング部材
１８．．．．．円錐先端
１９．．．．．壁
２０．．．．．孔輪
２１．．．．．環状通路
２２、２３．．．孔
２５．．．．．屋根
２６．．．．．ハウジングスリーブ
２７、２８．．．密封リング
３０．．．．．内孔
３２．．．．．軸方向孔
３３．．．．．半径方向孔
３４．．．．．パッキング斜面
３５．．．．．流れ結合部
３８．．．．．周辺通路
３９、４０．．．ねじ
４１．．．．．パッキングリング
４３、４４．．．傾斜孔
４５．．．．．傾斜孔空間
４６．．．．．挿入部材
４７．．．．．手動グッリプ収容部
４８．．．．．孔輪
５０．．．．．密封部材
５１．．．．．リングウエブ
５４．．．．．軸
５５．．．．．圧力領域
５６．．．．．球
５７．．．．．ねじ保持体
５８．．．．．自由先端
６０．．．．．ねじスリーブ
【図１】
2011169461.tif 000003
【図２】
2011169461.tif 000004
【図３】
2011169461.tif 000005
【図４】
2011169461.tif 000006